【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
論理アドレス範囲内の論理アドレスで再プログラム可能な不揮発性メモリシステムによって受信されるデータを格納するように前記メモリシステムを操作する方法であって、前記メモリシステムは個別の作業セルブロックに編制されたメモリセルを含み、前記個別ブロックはその中にデータを書き込む前にともに消去される最小数のメモリセルを収容する方法において、
前記メモリシステムによって受信されるデータを、前記個別メモリセルブロックの格納容量以下のデータ量を個別に収容する均等サイズのデータ単位に分割するステップであって、個別単位の中のデータは論理アドレス範囲内の一連の論理アドレスを有するステップと、
変換前の対応するデータ単位とは異なる量のデータを個別に収容する対応するデータグループに前記受信データを符号化するか、圧縮するか、または暗号化するかのいずれか１つを少なくとも行うことによって、前記個別の受信データ単位を変換するステップと、
切片のうちの１つが２つのメモリセルブロックのそれぞれに位置している状態で、個別グループが２つのメモリセルブロックにわたるように２つの切片に分けられるステップを含む、前記データグループの境界と前記メモリセルブロックの物理境界とに少なくとも一致する境界で１つ以上の前記メモリセルブロック内の一連の位置に前記データグループを書き込むステップと、
前記メモリセルブロックの境界内にある個別のデータグループと切片とを定義する境界を維持するステップを含む、前記メモリセルブロック内の個別のデータグループと切片との位置の中央テーブルを維持するステップと、
を含む方法。
【請求項２】
請求項１記載の方法において、
既に変換され前記メモリに書き込まれた少なくとも１つの受信済み個別データ単位の中でデータを更新するデータの受信に応じて、前記メモリシステムの中で、
前記少なくとも１つの変換済み個別データ単位を形成する変換済みデータの１つ以上のグループを読み出すステップと、
前記読み出し済みデータを復号化するか、解凍するか、または解読するかのいずれか１つを少なくとも行うことによって、変換済みデータの前記読み出し済みグループを逆変換し、これにより前記少なくとも１つの個別データ単位を復元するステップと、
その後、前記復元済みの少なくとも１つの個別データ単位を前記受信済み更新データにより修正するステップと、
その後、前記修正済み・復元済みデータを符号化するか、圧縮するか、または暗号化するかのいずれか１つを少なくとも行うことによって、前記少なくとも１つの修正済みデータ単位を前記対応するデータグループに変換するステップと、
切片のうちの１つが２つのメモリセルブロックのそれぞれに位置している状態で、個別グループが２つのメモリセルブロックにわたるように２つの切片に分けられるステップを含む、前記データグループを１つ以上の前記メモリセルブロック内の一連の位置に再書き込みするステップと、
前記メモリセルブロックの物理境界内にある個別のデータグループと切片とを定義する境界を維持するステップを含む、前記メモリセルブロック内の個別の再書き込み済みグループと切片との位置の中央テーブルを変更するステップと、
をさらに含む方法。
【請求項３】
請求項１記載の方法において、
前記データを変換するステップは、前記少なくともいくつかの変換済みデータ単位が前記変換の前より少ない量のデータを個別に収容するデータ単位を含むことに帰結する方法。
【請求項４】
請求項１記載の方法において、
前記データを変換するステップは、前記少なくともいくつかの変換済みデータ単位が前記変換の前より多い量のデータを個別に収容するデータ単位を含むことに帰結する方法。
【請求項５】
請求項１記載の方法において、
前記変換済みデータのグループを定義するステップは、異なるセルブロックにある１データグループの切片をともにつなぎ合わせるステップを含む方法。
【請求項６】
請求項１記載の方法において、
前記メモリシステムによって受信されるさらなるデータ単位を変換なしで少なくとも１つのさらなるメモリセルブロックに格納するステップと、
前記さらなるデータ単位の格納位置を、前記メモリセルブロック内のさらなるデータグループによって識別するステップと、
を含む方法。
【請求項７】
請求項１記載の方法において、
前記方法は、メモリコネクタによって取り外し可能な状態でホストデバイスへ接続できるメモリシステムモジュールで遂行され、前記データは前記メモリコネクタを通じて受信される方法。
【請求項８】
請求項１記載の方法において、
前記メモリシステムによって受信されるデータは、前記メモリシステムの中でプロセッサによって実行されるアプリケーションプログラムから発生する方法。
【請求項９】
請求項１記載の方法において、
前記論理アドレス範囲は、メモリシステムの論理アドレス範囲である方法。
【請求項１０】
請求項１記載の方法において、
前記論理アドレス範囲は、格納されるデータのファイルオブジェクトの論理アドレス範囲である方法。
【請求項１１】
論理アドレス範囲内の論理アドレスで再プログラム可能な不揮発性メモリシステムによって受信されるデータを圧縮し、その圧縮データを格納するように前記メモリシステムを操作する方法であって、前記メモリシステムは個別の作業セルブロックに編制されたメモリセルを含み、前記個別ブロックはその中にデータを書き込む前にともに消去される最小数のメモリセルを収容する方法において、
前記メモリシステムによって受信されるデータを、前記個別メモリセルブロックの格納容量以下のデータ量を個別に収容する均等サイズのデータ単位に分割するステップであって、個別グループの中のデータは論理アドレス範囲内の一連の論理アドレスを有するステップと、
前記個別の受信データ単位を圧縮し、これにより圧縮する前のその対応するデータ単位よりも個別に小さい対応するデータグループを生成するステップと、
切片のうちの１つが２つのメモリセルブロックのそれぞれに位置している状態で、個別グループが２つのメモリセルブロックにわたるように２つの切片に分けるステップを含む、前記データグループの境界と前記メモリセルブロックの物理境界とに少なくとも一致する境界で１つ以上の前記メモリセルブロック内の一連の位置に前記データグループを書き込むステップと、
前記メモリセルブロックの境界内にある個別のデータグループと切片とを定義する境界を維持するステップを含む、前記メモリセルブロック内の個別のデータグループと切片との位置の中央テーブルを維持するステップと、
を含む方法。
【請求項１２】
請求項１１記載の方法において、
前記論理アドレス範囲は、メモリシステムの論理アドレス範囲である方法。
【請求項１３】
請求項１１記載の方法において、
前記論理アドレス範囲は、格納されるデータのファイルオブジェクトの論理アドレス範囲である方法。
【請求項１４】
請求項１１記載の方法において、
前記方法が遂行される前記メモリシステムは、メモリコネクタによって取り外し可能な状態でホストデバイスへ接続できるモジュールの中にあり、前記データは前記メモリコネクタを通じて受信される方法。
【請求項１５】
請求項１１記載の方法において、
メモリセルを操作し、これにより少なくともいくつかの個別セルの２ビット以上の受信データを格納するステップをさらに含む方法。